(57)【特許請求の範囲】
【請求項１】
第１の複数チャンネルの複数の番組を第１の記録部に連続ループ録画する録画制御手段と、
第２の複数チャンネルの複数の番組を第２の記録部に連続ループ録画する外部機器と通信する通信手段と、
前記第１の記録部の録画情報と前記通信手段を介して取得した前記第２の記録部の録画情報とから、前記第１の記録部および前記第２の記録部の複数の録画番組の情報からなる番組リストを作成する番組リスト作成手段と、を具備する映像装置であって、
前記番組リスト作成手段が、前記第１の記録部および前記第２の記録部に重複して録画されている番組を検出し、重複録画番組の情報が統合して表示された番組リストを作成し、
前記番組リスト作成手段が、前記第１の記録部だけに録画されている番組の情報と、前記第２の記録部だけに録画されている番組の情報と、前記重複録画番組の情報と、が異なった表示形態の前記番組リストを作成することを特徴とする映像装置。
【請求項２】
前記番組リストの中から前記重複録画番組が使用者により選択された場合、いずれか一方の録画番組を自動的に選択する選択手段を、具備することを特徴とする請求項１に記載の映像装置。
【請求項３】
前記選択手段が、録画場所、録画画質および録画時間の少なくともいずれかに基づき選択することを特徴とする請求項２に記載の映像装置。
【請求項４】
前記番組リストが、前記録画番組の情報がチャンネル毎に時系列的に表示された過去番組表であることを特徴とする請求項３に記載の映像装置。
【請求項５】
前記番組リストが、前記録画番組の中から抽出された番組のリストであることを特徴とする請求項３に記載の映像装置。
【請求項６】
前記番組リストが表示されるモニタを具備することを特徴とする請求項１から請求項５のいずれか１項に記載の映像装置。
【発明の詳細な説明】
【技術分野】
【０００１】
本発明の実施形態は、第１の複数チャンネルの番組を第１の記録部に連続ループ録画する録画制御手段と、第２の複数チャンネルの番組を第２の記録部に連続ループ録画する外部機器と通信する通信手段と、前記第１の記録部および前記第２の記録部の複数の録画番組の情報からなる番組リストを作成する番組リスト作成手段と、を具備する映像装置に関する。
【背景技術】
【０００２】
長時間録画が可能なハードディスク装置（以下「ＨＤＤ」という）等の普及によって、放送番組を長時間録画することが可能となった。そして、複数チャンネルの放送を同時に受信するチューナとＨＤＤとを組み合わせることで、複数チャンネルの番組を連続ループ録画する映像装置が一般的になってきた。
【０００３】
連続ループ録画機能を搭載した映像装置では、録画されている番組数が非常に多い。このため、録画されている番組のリストが、過去番組表として表示される。また、連続ループ録画機能を搭載した複数の映像装置を接続し連携することで、利便性を向上することが検討されている。
【０００４】
例えば、複数の映像装置がそれぞれ録画した録画番組の情報を１つの過去番組表にまとめて表示することで、ユーザは過去番組表に表示されている番組が、どの映像装置に録画されている番組かを意識しないで操作することができる。
【先行技術文献】
【特許文献】
【０００５】
【特許文献１】特開２０１３−１３５３２７号公報
【発明の概要】
【発明が解決しようとする課題】
【０００６】
本発明の実施形態は、連続ループ録画機能を搭載した外部機器と接続される、連続ループ録画機能を搭載した操作性のよい、映像装置を提供することを目的とする。
【課題を解決するための手段】
【０００７】
本発明の一態様の映像装置は、第１の複数チャンネルの複数の番組を第１の記録部に連続ループ録画する録画制御手段と、第２の複数チャンネルの複数の番組を第２の記録部に連続ループ録画する外部機器と通信する通信手段と、前記第１の記録部の録画情報と前記通信手段を介して取得した前記第２の記録部の録画情報とから、前記第１の記録部および前記第２の記録部の複数の録画番組の情報からなる番組リストを作成する番組リスト作成手段と、を具備する映像装置であって、前記番組リスト作成手段が、前記第１の記録部および前記第２の記録部に重複して録画されている番組を検出し、重複録画番組の情報が統合して表示された番組リストを作成し、前記番組リスト作成手段が、前記第１の記録部だけに録画されている番組の情報と、前記第２の記録部だけに録画されている番組の情報と、前記重複録画番組の情報と、が異なった表示形態の前記番組リストを作成する。
【図面の簡単な説明】
【０００８】
【図１】第１実施形態の映像装置を含む映像システムの構成図である。
【図２】従来の映像装置の過去番組表である。
【図３】第１実施形態の映像装置の過去番組表である。
【図４】第１実施形態の映像装置の過去番組表の番組情報表示欄である。
【図５】第１実施形態の映像装置の過去番組表の番組情報表示部である。
【図６】第１実施形態の映像装置のフローチャートである。
【図７】第２実施形態の映像装置を含む映像システムの構成図である。
【図８】第２実施形態の映像装置の抽出番組リストである。
【図９】第２実施形態の映像装置の抽出番組リストの番組情報表示部である。
【図１０】変形例１の映像装置を含む映像システムの構成図である。
【図１１】変形例２の映像装置を含む映像システムの構成図である。
【発明を実施するための形態】
【０００９】
＜第１実施形態＞
図１に示すように本実施形態の映像装置であるテレビジョン受信機（テレビ）１０は、テレビ１０と接続された外部機器であるビデオレコーダ（レコーダ）２０とともに映像システム１を構成する。テレビ１０およびレコーダ２０は、共に後述する連続ループ録画（以下「ループ録画」ともいう）機能を有する。
【００１０】
テレビ１０は、第１のチューナ１１と、信号処理部１２と、ＣＰＵ１３と、第１の記録部である第１のＨＤＤ１４と、通信部１５と、モニタ１６と、スピーカ１７と、メモリ１８と、を有するデジタルメディアプレーヤ（ＤＭＰ）である。ユーザは、リモコン３１、タブレット端末３２、またはスマートフォン３３等を用いてテレビ１０の操作を行う。
【００１１】
第１のチューナ１１は、複数の第１のチャンネルの番組を同時に受信する。例えば、地上デジタルテレビジョン放送、衛星デジタルテレビジョン放送、またはインターネットを介して送信されるデジタルテレビジョン放送等の複数のチャンネルの中からユーザは視聴する番組が放送されているチャンネルを選定する。それぞれのチャンネルは、ネットワークＩＤ、サービスＩＤ、サービス名または放送局名等で識別され、複数の番組（コンテンツ、ストリーム）を連続して放送する。
【００１２】
信号処理部１２は、第１のチューナ１１が受信したチャンネルの放送信号を信号処理し、映像信号と音声信号とを出力する。映像信号はモニタ１６に音声信号はスピーカ１７に出力され、視聴者は番組を視聴する。
【００１３】
なお、モニタ１６は、液晶、ＥＬ（エレクトロミネッセンス）、プラズマディスプレイ、ＳＥＤ（表面電界ディスプレイ）、ビデオプロジェクタ、リアプロジェクション（背面投影型）、またはブラウン管（平面型を含む）などである。また、モニタ１６およびスピーカ１７の少なくともいずれかは、外付け型であってもよい。
【００１４】
ＣＰＵ１３は、テレビ１０の全体の制御を行う制御部１３Ａと、録画制御手段である録画制御部１３Ｂと、番組リスト作成手段である過去番組表作成部１３Ｃと、選択部１３Ｄと、を含む。ＣＰＵ１３は半導体回路からなり、ＲＯＭ等からなるメモリ１８に記憶されているプログラムを読み込み、動作する。すなわち、制御部１３Ａ、録画制御部１３Ｂ、過去番組表作成部１３Ｃおよび選択部１３Ｄとは、いずれも物理的に独立した構成要素ではなく、それぞれの機能がＣＰＵ１３に読み込まれたプログラムにより実行される。もちろん、制御部１３Ａは、それぞれが専用回路として構成されていてもよい。
【００１５】
テレビ１０は、放送中の番組をリアルタイムで視聴できるだけでなく、すでに放送が開始してから時間が経過している番組を冒頭から視聴したり、放送が終了している過去番組を視聴したりするためのループ録画機能を有する。すなわり、第１のチューナ１１はユーザにより予め設定された第１の複数チャンネルの放送を同時に連続して受信する。そして、録画制御部１３Ｂはチューナ１１が同時に受信した第１の複数チャンネルの複数の番組を、第１のＨＤＤ１４にループ録画するための制御を行う。
【００１６】
第１のＨＤＤ１４は、その記録領域の少なくとも一部がループ録画に用いられる、コンテンツを非一時的に記憶する記憶媒体である。ループ録画は、新たな番組を録画するための記録領域がなくなると古い録画番組を消去しながら新しい番組を録画する、いわゆるオーバーライト方式による。録画番組が消去されるまでの期間（生存期間）は、記録容量、録画チャンネル数および録画番組の画質等に依存する。
【００１７】
例えば、第１のＨＤＤ１４に過去１週間の６チャンネルの放送番組が録画されている場合、ユーザは過去１週間の６チャンネルの放送番組の中から自由に視聴する番組を選択できる。
【００１８】
なお、第１のＨＤＤ１４は、内蔵型ではなく、いわゆる外付け型であってもよいし、複数のＨＤＤから構成されていてもよい。また、第１の記録部は、半導体メモリからなるシリコンディスクドライブ装置（ＳＤＤ）または書き換え可能光ディスク媒体等でもよい。
【００１９】
通信手段である通信部１５は接続された外部機器と通信を行う。通信部１５は、例えば、ＤＬＡＮサーバ（ＤＭＳ：デジタルメディアサーバ）を介して外部機器と接続されていてもよいし、通信部１５がＤＭＳ機能を有していてもよい。なお、テレビ１０の必須の構成要素ではない選択部１３Ｄについては後述する。
【００２０】
一方、レコーダ２０は、第２の複数チャンネルの番組を同時に受信する第２のチューナ２１と、第２の記録部である第２のＨＤＤ２４と、通信部２５と、を有する。第２のチューナ２１、第２のＨＤＤ２４、通信部２５は、それぞれ、第１のチューナ１１、ＣＰＵ１３、第１のＨＤＤ１４と、通信部１５と、略同じ機能を有する。また、図示しないがレコーダ２０は信号処理部１２と同じ機能の号処理部等も有する。
【００２１】
レコーダ２０は、第２のチューナ２１が同時に受信した第２の複数チャンネルの番組を、第２のＨＤＤ２４に連続ループ録画する。
【００２２】
ここで、ＨＤＤにループ録画された番組の数は膨大である。ユーザが目的の番組を発見しやすくするために、録画番組の番組リストである過去番組表が活用されている。
【００２３】
さらに、すでに説明したように、それぞれに複数のチャンネルの番組がループ録画されているテレビおよびレコーダを連携して、両者の録画情報を、１つの過去番組表にまとめて表示する映像装置システムが知られている。例えば、テレビの過去番組表作成部は、テレビの第１のＨＤＤの録画情報と、通信部を介してレコーダから取得したレコーダの第２のＨＤＤの録画情報とから、第１のＨＤＤおよび第２のＨＤＤに録画されている録画番組の番組リストである過去番組表を作成する。
【００２４】
この映像装置システムによれば、ユーザは過去番組表に表示されている番組が、テレビまたはレコーダのいずれに録画されている番組かを意識しないで操作することができる。
【００２５】
ここで、ユーザが、テレビおよびレコーダに同じチャンネルの番組を重複してループ録画することがある。言い替えれば、テレビの第１のＨＤＤに録画されている番組と、レコーダの第２のＨＤＤに録画されている番組と、が重複することがある。
【００２６】
ループ録画では、例えば、毎日１０分〜６０分程度の録画できない時間帯がメンテナンスのため、生じることがある。重複録画することで、一方の装置が録画できない時間帯の番組を、もう一方の装置により録画できる。
【００２７】
また、テレビとレコーダとの仕様が相違する場合にも有効である。例えば、テレビが４Ｋ規格対応だが第１のＨＤＤの容量が少なく、レコーダがフルハイビジョン規格対応だが大容量の第２のＨＤＤを搭載している場合を想定する。テレビには、あるチャンネルの１週間分の番組しかループ録画できないが、レコーダには同じチャンネルの４週間分の番組がループ録画できる。ユーザは１週間以内に放送された番組は４Ｋ規格で視聴し、それより前に放送された番組はフルハイビジョン規格で視聴できる。
【００２８】
図２に、テレビおよびレコーダを連携した場合の従来の過去番組表ＰＴ１を示す。図２に示すように、過去番組表は縦軸が時刻を、横軸がチャンネルを示している。なお、図２等では、説明のため、各番組が１時間の場合の過去番組表を示している。
【００２９】
過去番組表ＰＴ１は、テレビ１０が第１の複数のチャンネルであるチャンネルＡ〜Ｄを、レコーダ２０が第２の複数のチャンネルであるチャンネルＡ、Ｂ、Ｅ〜Ｇをループ録画している場合を示している。左側のチャンネルＡ〜Ｄがテレビの第１のＨＤＤ１４に録画されている番組（Ａ１７〜Ａ２０、Ｂ１７〜Ｂ２０、Ｃ１７〜Ｃ２０、Ｄ１７〜Ｄ２０）の情報を示しており、右側のチャンネルＡ、Ｂ、Ｅが第２のＨＤＤ２４に録画されている番組（Ａ１５〜Ａ２０、Ｂ１５〜Ｂ２０、Ｅ１５〜Ｅ２０）の情報を示している。
【００３０】
すなわち、チャンネルＡ、Ｂの番組が、テレビ１０とレコーダ２０とで重複録画されている。なお、ＰＭ５：００よりも前に放送された番組はテレビ１０（第１のＨＤＤ１４）には録画されていない。これは、第１のＨＤＤ１４のループ録画領域の容量をオーバーしたため、ＰＭ５：００よりも前の番組が録画されていた領域に新しい番組がオーバーライトされ、古い番組は消去されているためである。また、チャンネルＦ、Ｇの番組の情報は、図３に示すように、過去番組表ＰＴ１を右スクロールすることにより表示される。
【００３１】
過去番組表ＰＴ１には、重複して録画されている番組（Ａ１７〜Ａ２０、Ｂ１７〜Ｂ２０）の情報が左右の別の場所に重複して表示されている。
【００３２】
重複録画されているチャンネルＡ、Ｂの番組の情報が重複して表示される過去番組表ＰＴ１では、ユーザは、重複して表示されている番組のうち、いずれの番組を選択すれば良いのか判断する必要がある。また、スクロールしないと表示されない位置に重複録画番組が表示されている可能性もある。
【００３３】
このように、従来の過去番組表ＰＴ１は、同じチャンネルが重複してループ録画されている場合、すなわり、重複録画番組が生じる場合には、操作性がよいとは言えないおそれがあった。
【００３４】
これに対して本実施形態のテレビ１０では、図４に示すように、過去番組表作成部１３Ｃが、第１のＨＤＤ１４および第２のＨＤＤ２４に重複して録画されている番組の情報が重複して表示されていない過去番組表ＰＴ２を作成し、過去番組表ＰＴ２はモニタ１６に表示される。すなわち、過去番組表ＰＴ２においては、重複録画番組の情報が統合されるため、重複録画番組の情報は１箇所にだけしか表示されない。
【００３５】
重複録画番組の情報が重複して表示されていない過去番組表ＰＴ２を作成し表示するテレビ１０は、操作性がよい。
【００３６】
なお、図４および図５に示すように、連携先のレコーダ２０の第２のＨＤＤ２４に録画されている番組の情報欄Ｐには、マークＭ１が表示されており、さらに重複録画番組の情報欄Ｐには、マークＭ２が表示されている。
【００３７】
すなわち、第１のＨＤＤ１４だけに録画されている番組Ｄ１７等にはマークＭ１、Ｍ２が付されていない。連携されたレコーダ２０の第２のＨＤＤ２４に録画されている番組Ａ１５等には、マークＭ１が付されている。さらに、第１のＨＤＤ１４と第２のＨＤＤと２４に重複録画されている番組Ａ１７等には、マークＭ１とマークＭ２とが付されている。
【００３８】
過去番組表における録画番組が記録されている記録部を識別するための表示形態の相違はマークＭ１、Ｍ２の有無に限られない。例えば、番組欄Ｐを太い線で取り囲んだり、背景色を変えたりしてもよい。
【００３９】
なお、過去番組表へのマーク表示等は必須ではないが、重複録画番組を容易に識別できるテレビ１０は特に操作性がよい。
【００４０】
次に図６に示すフローチャートに沿ってテレビ１０の動作を説明する。
【００４１】
＜ステップＳ１０＞
ユーザにより、テレビ１０およびテレビ１０と連携しているレコーダ２０のループ録画の条件が、それぞれ設定される。録画条件は、チャンネル（放送局名）、録画期間（生存期間）、および録画画質等である。録画画質は、エンコード形式、ビットレート、および画角（４Ｋ、２Ｋ、ＳＤ）等である。
【００４２】
なお、後述するように、Ｓ１０において、重複録画番組の選択条件の設定も行われる。
【００４３】
＜ステップＳ１１＞
設定条件に沿って、テレビ１０およびレコーダ２０のループ録画が開始される。
【００４４】
例えば、テレビ１０が、チャンネルＡ〜Ｄの４Ｋ番組をパーシャルＴＳとしてループ録画する。これに対して、レコーダ２０は、チャンネルＡ、Ｂ、Ｅ〜Ｇのフルハイビジョン番組をＨ．２６４方式で再エンコードしてループ録画する。
【００４５】
すなわち、テレビ１０はエンコーダを有していないため、番組をパーシャルＴＳとして録画する。録画番組は、再エンコードされないため、画質劣化がなく、放送時のクオリティを保ったままで再生可能である。
【００４６】
ただし、録画期間（録画番組生存期間）は、例えば、レコーダ２０が４週間なのに対して、テレビ１０は１週間と短い。
【００４７】
＜ステップＳ１２＞
ＣＰＵ１３は、定期的、例えば３０分毎に第１のＨＤＤ１４の録画番組の情報を取得する。
【００４８】
＜ステップＳ１３＞
制御部１３は、レコーダ２０が通信部１５を介して接続されているか確認する。接続されていない場合（ＮＯ）は、ステップＳ１７に移行する。
【００４９】
＜ステップＳ１４＞
レコーダ２０が接続されている場合（Ｓ１３：ＹＥＳ）、制御部１３は、定期的に第２のＨＤＤ２４の録画番組の情報を取得する。
【００５０】
＜ステップＳ１５＞
過去番組表作成部１３Ｃは、第１のＨＤＤ１４および第２のＨＤＤ２４に重複して録画されている番組の有無を検出する。重複録画番組がない場合（ＮＯ）は、ステップＳ１７に移行する。
【００５１】
＜ステップＳ１６＞
重複録画番組がある場合（Ｓ１５：ＹＥＳ）、過去番組表作成部１３Ｃは、重複録画番組の情報を統合し１つの番組情報とする。
【００５２】
＜ステップＳ１７＞
過去番組表作成部１３Ｃは、第１のＨＤＤ１４および第２のＨＤＤ２４に録画されている番組の情報が表示された過去番組表ＰＴ２を作成する。
【００５３】
すでに説明したように、過去番組表作成部１３Ｃは、第１のＨＤＤ１４だけに録画されている番組の情報と、第２のＨＤＤ２４だけに録画されている番組の情報と、前記重複録画番組の情報と、が異なった表示形態の過去番組表を作成する（図４、図５参照）。
【００５４】
＜ステップＳ１８＞
過去番組表ＰＴ２は、モニタ１６、タブレット端末３２、またはスマートフォン３３等に表示される。ユーザから番組再生指示等があるまでテレビ１０は待機する。
【００５５】
＜ステップＳ１９＞
ユーザが指示した番組が重複録画番組ではない場合（ＮＯ）はステップＳ２１に移行する。
【００５６】
＜ステップＳ２０＞
重複録画番組の再生指示があった場合（Ｓ１９：ＹＥＳ）は、選択部１３Ｄは、ステップＳ１０で設定された条件に基づき、第１のＨＤＤ１４に録画されている番組および第２のＨＤＤ２４に録画されている番組のうち、いずれかの一方の録画番組を自動的に選択する。
【００５７】
選択条件は、例えば、録画画質および録画時間の少なくともいずれかに基づく条件、または、ユーザにより設定された条件である。
【００５８】
例えば、第１のＨＤＤ１４には番組の最初から最後まで録画されており、第２のＨＤＤ２４には番組の後半が録画されていない場合、すなわちメンテナンス期間等の影響により録画時間が異なる場合には、選択部１３Ｄは録画時間の長い方の録画番組を選択する。録画時間が同じ場合には、選択部１３Ｄは、録画画質（エンコード形式、ビットレート、および画角（４Ｋ、２Ｋ、ＳＤ）等が、より良い方の録画番組を選択する。
【００５９】
なお、重複録画番組の再生指示があった場合に、その都度、ユーザが選択条件を設定してもよい。
【００６０】
＜ステップＳ２１＞
ＣＰＵ１３は選択部１３Ｄにより選択された方の録画番組を、モニタ１６およびスピーカ１７に出力する。ＣＰＵ１３は設定に応じて、タブレット端末３２またはスマートフォン３３に出力してもよい。
【００６１】
選択部１３Ｄが録画時間の長い方の録画番組を選択することで、例えば、テレビ１０に番組放送中にメンテナンス期間があった場合でも、ユーザはレコーダ２０に録画された番組を最初から最後まで視聴できる。
【００６２】
また、選択部１３Ｄが、より良い録画画質の番組を選択することで、ユーザは、より快適に視聴できる。
【００６３】
以上の説明のように、重複録画番組の情報が重複して表示されない過去番組表ＰＴ２が表示されるテレビ１０は、操作性がよい。さらに選択部１３Ｄが重複録画番組の中から選択条件に沿って自動的にいずれか一方を選択するテレビ１０は、さらに操作性がよい。
【００６４】
なお、以上の説明では、過去番組表ＰＴ２から視聴する番組が選択される場合について説明したが、例えばレコーダ２０の光ディスク（不図示）に録画番組を録画する場合も同様に、選択部１３Ｄが自動的に選択を行う。
【００６５】
＜第２実施形態＞
次に第２実施形態の映像装置であるテレビ１０Ａについて説明する。図７に示すように、テレビ１０Ａが外部機器であるレコーダ２０Ａとともに構成する映像システム１Ａは、テレビ１０およびレコーダ２０から構成される映像システム１と類似しているので同じ機能の構成要素には同じ符号を付し説明は省略する。
【００６６】
本実施形態のテレビ１０Ａは、ＣＰＵ１３ＡＡが、第１のＨＤＤ１４にループ録画されている複数の番組と第２のＨＤＤ２４にループ録画されている複数の番組とから所定の抽出条件に基づき複数の番組を自動的に抽出する。
【００６７】
さらに、ＣＰＵ１３ＡＡが、抽出した複数の番組を代表する特定のシーンの縮小サイズ画像であるサムネイル画像Ｓを作成し、複数のサムネイル画像Ｓ（図８参照）を作成する。そして、複数のサムネイル画像Ｓを含む抽出番組リストが作成される。なお、複数の抽出番組には、抽出条件に基づき優先度が設定されており、優先度が高い順に抽出番組リストに表示される。
【００６８】
たとえば、ＣＰＵ１３ＡＡは、ユーザが過去に視聴した複数の番組を分析し、抽出条件として、ジャンル、キーワードまたは出演者等が同じ番組を抽出する。すなわち、ユーザの興味がありそうな他の番組が、さまざまな切り口（抽出条件）で自動的に抽出される。
【００６９】
テレビ１０Ａでは、抽出リスト作成部１３ＣＡが、抽出番組の中から第１のＨＤＤ１４および第２のＨＤＤ２４に重複して録画されている番組を検出し、重複録画番組の情報が統合して表示された抽出番組リストＳＳを作成する。図８に示すように、例えば、抽出番組リストＳＳは主画面ＭＳの下部に表示される。
【００７０】
重複録画番組の情報が重複して表示されない抽出番組リストＳＳが表示されるテレビ１０Ａは、操作性がよい。
【００７１】
そして、図８および図９に示すように、抽出番組リストＳＳにおいて、重複録画番組の情報欄Ｐは、第１のＨＤＤ１４だけに録画されている番組と、第２のＨＤＤ２４だけに録画されている番組の情報と、前記重複録画番組と、が識別可能なように、異なった表示形態である。
【００７２】
例えば、第１のＨＤＤ１４だけに録画されている番組Ｂ０８の情報欄ＰにはマークＭ１、Ｍ２が付されていない。連携されたレコーダ２０の第２のＨＤＤ２４に録画されている番組Ａ１３、Ｃ１２、Ｂ１１、Ｃ２５の情報欄Ｐには、マークＭ１が付されている。さらに、第１のＨＤＤ１４と第２のＨＤＤと２４に重複録画されている番組Ａ１３、Ｃ２５の情報欄Ｐには、マークＭ１とマークＭ２とが付されている。
【００７３】
抽出番組リストＳＳにおける録画番組が記録されている記録部を識別するための表示形態の相違はマークＭ１、Ｍ２の有無に限られない。例えば、番組欄Ｐを太い線で取り囲んだり、背景色を変えたりしてもよい。
【００７４】
抽出番組リストへのマークＭ１、Ｍ２の表示等による表示形態の変更は必須ではないが、重複録画番組を容易に判別できるテレビ１０Ａは特に操作性がよい。
【００７５】
なお、テレビ１０の機能（構成）とテレビ１０Ａの機能（構成）とを有するテレビが、両者の効果を有することは言うまでも無い。なお、この場合には、記録部を識別するための表示形態、例えば、マークは、過去番組表ＰＴ２と抽出番組リストＳＳとで同じようにすることが好ましい。
【００７６】
＜変形例＞
次に、本発明の実施形態の変形例の映像装置について説明する。
変形例の映像装置を含む映像システム１Ｂ、１Ｃは、映像システム１、１Ａと類似しているので同じ機能の構成要素には同じ符号を付し説明は省略する。
【００７７】
＜変形例１＞
図１０に示すように、変形例１の映像装置であるレコーダ２０Ｂは、テレビ１０Ｂとともに映像システム１Ｂを構成する。テレビ１０Ｂおよびレコーダ２０Ｂは、共にループ録画機能を有する。
【００７８】
レコーダ２０Ｂは、第２のチューナ２１と、ＣＰＵ２３ＢＢと、第２の記録部である第２のＨＤＤ２４と、通信部２５と、ＣＰＵ２３ＢＢのプログラムを記録したメモリ（不図示）と、を有する。ＣＰＵ２３ＢＢは、全体の制御を行う制御部２３Ａと、録画制御手段である録画制御部２３Ｂと、番組リスト作成手段である過去番組表作成部２３Ｃと、選択部２３Ｄと、を含む。
【００７９】
第２のチューナ２１は、複数の第２のチャンネルの番組を同時に受信する。録画制御部２３Ｂは第２の複数チャンネルの複数の番組を第２のＨＤＤ２４に連続ループ録画する制御を行う。通信部２５は、第１の複数チャンネルの番組を第１の記録部（第１のＨＤＤ１４）に連続ループ録画する外部機器であるテレビ１０Ｂと通信する。過去番組表作成部２３Ｃは、第１のＨＤＤ１４および第２のＨＤＤ２４の録画情報とから、第１のＨＤＤ１４および第２のＨＤＤ２４に録画されている番組の情報からなる番組リストである過去番組表を作成する。
【００８０】
過去番組表作成部２３Ｃは、第１のＨＤＤ１４および第２のＨＤＤ２４に重複して録画されている番組を検出し、重複録画番組の情報が統合して表示された過去番組表を作成する
【００８１】
すなわち、映像システム１Ｂの構成は、映像システム１のテレビとレコーダとの構成が一部入れ替わっている。ただし、レコーダ２０Ｂはモニタを具備しておらず、レコーダ２０Ｂの過去番組表作成部２３Ｃが作成した過去番組表は、通信部１５、２５を介してテレビ１０Ｂのモニタに表示される。
【００８２】
映像システム１Ｂは、テレビ１０Ｂが過去番組表作成部を有していないが、レコーダ２０Ｂが過去番組表作成部２３Ｃを有するため、映像システム１と同じ効果を有する。
【００８３】
すなわち、重複録画番組の情報が重複して表示されない過去番組表ＰＴ２を作成する過去番組表作成部２３Ｃを有するレコーダ２０Ｂは、操作性がよい。
【００８４】
なお、レコーダ２０Ｂが、テレビ１０Ａと同じ抽出番組リスト作成手段を有していてもよい。また、テレビ１０、１０Ａの構成を具備するテレビとレコーダ２０Ｂとからなる映像システムであっても、映像システム１、１Ａ、１Ｂの効果を有することは言うまでもない。
【００８５】
＜変形例２＞
図１１に示すように、変形例２の映像装置であるテレビ１０は、複数の外部機器であるレコーダ２０、テレビ３０、タブレット端末４０、モニタ５０、レコーダ６０とともに映像システム１Ｃを構成する。
【００８６】
テレビ１０の通信部は、例えば宅内ＬＡＮを介して、レコーダ２０、テレビ３０、タブレット端末４０、モニタ５０およびレコーダ６０と接続されている。そして、テレビ１０だけでなく、レコーダ２０、６０、テレビ３０、およびタブレット端末４０のうち、少なくともいずれかの外部機器が、複数のチャンネルの番組をループ録画する機能を有する。
【００８７】
テレビ１０の番組リスト作成手段は、テレビ１０の第１の記録部および外部機器の記録部に重複して録画されている番組の情報が重複して表示されない番組リスト（過去番組表、抽出番組リスト）を作成する。
【００８８】
重複録画番組の情報が重複して表示されない番組リストを作成するテレビ１０は、操作性がよい。
【００８９】
なお、複数の外部機器のうちテレビ１０の第１の記録部と連携した番組リストを作成する外部機器はユーザにより設定される。
【００９０】
また、テレビ１０の制御部が、番組リストを、テレビ３０、タブレット端末４０またはモニタ５０に表示し、番組リストが表示された外部機器の操作に応じて番組を選択し外部機器において視聴可能としてもよい。
【００９１】
本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更ができる。これら実施形態やその変形は、発明の範囲や要旨に含まれるとともに、特許請求の範囲に記載された発明とその均等の範囲に含まれる。
【符号の説明】
【００９２】
１、１Ａ〜１Ｃ…映像システム
１０…テレビ
１１…チューナ
１２…信号処理部
１３…ＣＰＵ
１３Ａ…制御部
１３Ｂ…録画制御部
１３Ｃ…過去番組表作成部
１３ＣＡ…抽出リスト作成部
１３Ｄ…選択部
１４…第１のＨＤＤ
１５…通信部
１６…モニタ
１７…スピーカ
１８…メモリ
２０、２０Ａ、２０Ｂ…レコーダ
２０Ａ…レコーダ
２１…チューナ
２３…ＣＰＵ
２３Ａ…制御部
２３Ｂ…録画制御部
２３Ｃ…過去番組表作成部
２３Ｄ…選択部
２４…第２のＨＤＤ
２５…通信部
３０…テレビ
３１…リモコン
３２…タブレット端末
３３…スマートフォン
４０…タブレット端末
５０…モニタ
６０…レコーダ
【図１】
0006412789.tif 000002
【図２】
0006412789.tif 000003
【図３】
0006412789.tif 000004
【図４】
0006412789.tif 000005
【図５】
0006412789.tif 000006
【図６】
0006412789.tif 000007
【図７】
0006412789.tif 000008
【図８】
0006412789.tif 000009
【図９】
0006412789.tif 000010
【図１０】
0006412789.tif 000011
【図１１】
0006412789.tif 000012